(57)【要約】【課題】実質的にＤＮＡチップの変形や破損を引き起こすことのないＤＮＡチップ読み取り装置を提供する。【解決手段】ＤＮＡチップ読み取り装置１００は、ＤＮＡチップ１１６を含む容器１１４に収容された溶液１１２を駆動するポンプ１２２と、励起光ビームを射出する照明装置１３２と、励起光ビームを収束する対物レンズ１４２と、励起光ビームを対物レンズ１４２に導くと共にＤＮＡチップ１１６で発生した蛍光を取り出す蛍光ミラーユニット１３４と、蛍光ミラーユニット１３４で取り出された蛍光を結像させる結像レンズ１４４と、結像された蛍光画像を撮影するＣＣＤカメラ１４６と、ＤＮＡチップ１１６で反射された励起光に基づいてＤＮＡチップ１１６の変形量を求める変位検出ユニット１５０と、変位検出ユニット１５０で得られる情報に基づいてポンプ１２２を制御する制御部１８０とを有している。【選択図】    図１
2004163365.tif 000002
【特許請求の範囲】
【請求項１】
蛍光を利用したＤＮＡチップ読み取り装置であって、
ＤＮＡチップを含む容器に収容された溶液を駆動する溶液駆動部と、
励起光ビームを射出する照明装置と、
励起光ビームを収束する対物レンズと、
励起光ビームを対物レンズに導くと共にＤＮＡチップで発生した蛍光を取り出す蛍光ミラーユニットと、
蛍光ミラーユニットで取り出された蛍光を結像させる結像レンズと、
結像レンズで結像された像を撮影するＣＣＤカメラと、
ＤＮＡチップで反射された励起光に基づいてＤＮＡチップの変形量（中央部分の変位）を光学的に求めるための変位検出系と、
変位検出系で得られる情報に基づいて溶液駆動部を制御する制御部とを有している、ＤＮＡチップ読み取り装置。
【請求項２】
請求項１において、変位検出系は、光路差方式による変位検出ユニットを含んでいる、ＤＮＡチップ読み取り装置。
【請求項３】
請求項２において、変位検出ユニットは、照明装置と蛍光ミラーユニットの間に配置されたハーフミラーと、ＤＮＡチップを経由しハーフミラーで反射された励起光ビームを結像するレンズと、励起光ビームを二本に分割すると共にそれらの間に光路差を与える光路差プリズムと、分割された二本の励起光ビームの結像画像を取得するイメージセンサーとを有している、ＤＮＡチップ読み取り装置。
【請求項４】
請求項１において、変位検出系は、対物レンズと結像レンズとＣＣＤカメラと共働して干渉計を構成するための干渉ミラーユニットを含んでおり、蛍光ミラーユニットと干渉ミラーユニットは選択的に光路上に配置される、ＤＮＡチップ読み取り装置。
【請求項５】
請求項４において、干渉ミラーユニットは、コヒーレント光ビームを射出する光源と、コヒーレント光ビームを二つに分割すると共にそれらを後に結合するハーフミラーと、ハーフミラーで分割された一方の光ビームを反射してハーフミラーに戻す参照ミラーとを有しており、ハーフミラーで分割されたもう一方の光ビームは対物レンズに導かれる、ＤＮＡチップ読み取り装置。
【発明の詳細な説明】
【０００１】
【発明の属する技術分野】
本発明は、ＤＮＡチップ読み取り装置に関する。
【０００２】
【従来の技術】
「ＤＮＡチップ技術とその応用」（蛋白質核酸酵素Ｖｏｌ．４３Ｎｏ．１３２００４−２０１１（１９９８））は、スライドガラス等の基板上に数百から数万種類のプローブＤＮＡを数平方センチメートルの範囲に整列したスポットとして固相化したＤＮＡチップを開示している。それぞれのＤＮＡスポットは特定のプローブＤＮＡを含んでいる。
【０００３】
ＤＮＡチップは、蛍光標識されたＤＮＡを含む溶液とのハイブリダイゼーション（ハイブリダイズ反応）に供される。ハイブリダイズ反応を起こしたＤＮＡスポットは励起光の照射に対して蛍光を発する。従って、ハイブリダイズ反応は、ＤＮＡチップに励起光を照射し、ＤＮＡスポットの発する蛍光を調べることにより検出される。
【０００４】
特表２０００−５１５２５１号公報は、多孔質の陽極酸化アルミニウム膜を基板とするＤＮＡチップを開示されている。多孔質陽極酸化アルミニウム膜の内壁にプローブＤＮＡが固相化されている。
【０００５】
このようなＤＮＡチップのためのＤＮＡチップ読み取り装置では、ハイブリダイズ反応を促進するために、蛍光標識されたＤＮＡを含む溶液をポンプで加圧して多孔質基板に接触させる。この操作により、高効率で高速なハイブリダイズ反応を実現している。
【０００６】
またＤＮＡチップ読み取り装置は、一般的な落射蛍光顕微鏡の構成を有しており、ハイブリダイズ反応を終了したＤＮＡチップに励起光を照射し、励起光に反応して蛍光を発するＮＤＡスポットの蛍光画像をＣＣＤカメラ等で取得する。
【０００７】
【特許文献１】
特表２０００−５１５２５１号公報
【０００８】
【特許文献１】
ＤＮＡチップ技術とその応用（蛋白質核酸酵素Ｖｏｌ．４３，Ｎｏ．１３２００４−２０１１（１９９８））
【０００９】
【発明が解決しようとする課題】
ＤＮＡチップ読み取り装置においては、蛍光標識されたＤＮＡを含む溶液をＤＮＡチップに接触させる間、溶液の流量や流速は適切に保たれることが望ましい。溶液の流量や流速が不適切な場合、ポンプによって溶液が過剰に吸引されることがある。溶液が過剰に吸引されると、ＤＮＡチップは、その中央部分が下方に引っ張られて、変形したり破損したりすることがある。
【００１０】
特に、特表２０００−５１５２５１号公報に開示されている陽極酸化アルミニウム膜を用いたＤＮＡチップは非常に壊れ易く、溶液の過剰な吸引に対して破損し易い。
【００１１】
本発明はこのような実状を考慮して成されたものであり、その目的は実質的にＤＮＡチップの変形や破損を引き起こすことのないＤＮＡチップ読み取り装置を提供することである。
【００１２】
【課題を解決するための手段】
本発明は、蛍光を利用したＤＮＡチップ読み取り装置であって、ＤＮＡチップを含む容器に収容された溶液を駆動する溶液駆動部と、励起光ビームを射出する照明装置と、励起光ビームを収束する対物レンズと、励起光ビームを対物レンズに導くと共にＤＮＡチップで発生した蛍光を取り出す蛍光ミラーユニットと、蛍光ミラーユニットで取り出された蛍光を結像させる結像レンズと、結像レンズで結像された像を撮影するＣＣＤカメラと、ＤＮＡチップで反射された励起光に基づいてＤＮＡチップの変形量（中央部分の変位）を光学的に求めるための変位検出系と、変位検出系で得られる情報に基づいて溶液駆動部を制御する制御部とを有しており、制御部が溶液の流量と流速を適切に調整して、溶液駆動部による溶液の過吸引の発生を回避することにより、ＤＮＡチップの変形や破損を防止する。
【００１３】
変位検出系は、例えば、光路差方式による変位検出ユニットを含んでいる。変位検出ユニットは、例えば、照明装置と蛍光ミラーユニットの間に配置されたハーフミラーと、ＤＮＡチップを経由しハーフミラーで反射された励起光ビームを結像するレンズと、励起光ビームを二本に分割すると共にそれらの間に光路差を与える光路差プリズムと、分割された二本の励起光ビームの結像画像を取得するイメージセンサーとを有している。
【００１４】
別の変位検出系は、例えば、対物レンズと結像レンズとＣＣＤカメラと共働して干渉計を構成するための干渉ミラーユニットを含んでおり、蛍光ミラーユニットと干渉ミラーユニットは選択的に光路上に配置される。干渉ミラーユニットは、例えば、コヒーレント光ビームを射出する光源と、コヒーレント光ビームを二つに分割すると共にそれらを後に結合するハーフミラーと、ハーフミラーで分割された一方の光ビームを反射してハーフミラーに戻す参照ミラーとを有しており、ハーフミラーで分割されたもう一方の光ビームは対物レンズに導かれる。
【００１５】
【発明の実施の形態】
以下、図面を参照しながら本発明の実施の形態について説明する。
【００１６】
第一実施形態
図１は、本発明の第一実施形態のＤＮＡチップ読み取り装置を示している。図１に示されるように、本実施形態のＤＮＡチップ読み取り装置１００は、試料部１１０と撮像部１３０とを有している。
【００１７】
試料部１１０には、読み取り対象のＤＮＡチップ１１６を含む容器１１４が配置される。容器１１４は、蛍光標識されたＤＮＡを含む溶液１１２を収容する凹部と、凹部と連絡している配管系と、凹部内に配置されたＤＮＡチップ１１６とを有している。ＤＮＡチップ１１６は、例えば陽極酸化アルミニウム製であり、内壁にはプローブＤＮＡが固相化されている。
【００１８】
試料部１１０は、容器１１４に収容された溶液１１２を駆動するポンプ１２２と、容器１１４の配管系とポンプ１２２とを接続しているテフロンチューブ等の圧力配管１２４とを有している。ポンプ１２２は、例えば、Ｈａｍｉｌｔｏｎ社製のシリンジ駆動型のポンプで構成される。
【００１９】
ポンプ１２２は、圧力配管１２４を介して容器１１４の凹部に収容された溶液１１２を吸引または吐出することにより、ＤＮＡチップ１１６の多孔質部を通して、ＤＮＡチップ１１６で仕切られた上下の空間を行き来させる。
【００２０】
撮像部１３０は、一般的な落射蛍光顕微鏡の構成を有している。すなわち、撮像部１３０は、励起光ビームを射出する照明装置１３２と、励起光ビームを収束する対物レンズ１４２と、励起光ビームを対物レンズ１４２に導くと共にＤＮＡチップ１１６で発生した蛍光を取り出す蛍光ミラーユニット１３４と、蛍光ミラーユニット１３４で取り出された蛍光を結像させる結像レンズ１４４と、結像レンズ１４４で結像された像を撮影するＣＣＤカメラ１４６とを有している。
【００２１】
図示していないが、照明装置１３２は、好ましくは、励起光ビームの光量調整用にＮＤフィルターや光源調整機構を有している。
【００２２】
蛍光ミラーユニット１３４は、所望の波長帯域の励起光を選択的に透過する励起フィルター１３６と、励起光を反射または吸収し蛍光を透過するダイクロイックミラー１３８と、所望の波長帯域の蛍光以外の光を反射または吸収する吸収フィルター１４０とを有している。
【００２３】
撮像部１３０は更に、ＤＮＡチップ１１６で反射された励起光に基づいてＤＮＡチップ１１６の変形量すなわち中央部分の上下方向の変位を光学的に求めるための変位検出ユニット１５０を有している。変位検出ユニット１５０は、ＤＮＡチップ１１６の中央部分の上下方向の位置の検出に利用することもできる。
【００２４】
変位検出ユニット１５０は、光路差方式によるものであり、照明装置１３２と蛍光ミラーユニット１３４の間に配置されたハーフミラー１５２と、ＤＮＡチップ１１６を経由しハーフミラー１５２で反射された励起光ビームを結像するレンズ１５４と、励起光ビームを二本に分割すると共にそれらの間に光路差を与える光路差プリズム１５６と、分割された二本の励起光ビームの結像画像を取得するイメージセンサー１５８とを有している。
【００２５】
ＤＮＡチップ読み取り装置１００は更に、自動ステージ部１９０を有している。自動ステージ部１９０は、容器１１４を上下移動させる昇降ステージ１９２と、昇降ステージ１９２を運転するモーター１９４と、モーター１９４を駆動するモータードライバー１９６とを有している。
【００２６】
ＤＮＡチップ読み取り装置１００は更に、変位検出ユニット１５０で得られる情報に基づいてポンプ１２２を制御する制御部１８０を有している。制御部１８０は例えばパーソナルコンピューターとソフトウェアとで構成される。制御部１８０は、ポンプ１２２の制御の他に、ＣＣＤカメラ１４６で得られる画像データを処理したり、変位検出ユニット１５０で得られた情報に基づいてモータードライバー１９６を制御したりもする。
【００２７】
前述したように、ＤＮＡチップ１１６は多孔質部を有しており、その内壁にはプローブＤＮＡが固相化されている。蛍光標識されたＤＮＡを含む溶液１１２は、ポンプ１２２の吸引と吐出の繰り返し動作によって、ＤＮＡチップ１１６の多孔質部を通って、ＤＮＡチップ１１６で仕切られた上下の空間の間を行き来する。これにより、ハイブリダイズ反応が高効率かつ高速に引き起こされる。
【００２８】
図４〜図６は、ハイブリダイズ反応の間の容器１１４内の溶液１１２の状態を示している。図４は、溶液１１２がＤＮＡチップ１１６の上側の空間に十分に存在している状態を示し、図６は、溶液１１２がＤＮＡチップ１１６の上側の空間に存在していない状態、すなわち、溶液１１２の水位がＤＮＡチップ１１６の高さ程度である状態を示し、図５は、図４の状態と図６の状態の間を推移する間の状態を示している。
【００２９】
容器１１４の凹部内に収容された溶液１１２は、ポンプ１２２の吸引動作に伴って、図４に示される状態から図５に示される状態を経て図６に示される状態に移る。また、溶液１１２は、ポンプ１２２の吸引動作に伴って、図６に示される状態から図５に示される状態を経て図４に示される状態に移る。
【００３０】
このような一連の動作を繰り返し行なうことにより、短時間のうちに効率良くハイブリダイズ反応を起こすことができる。
【００３１】
ＤＮＡチップ１１６のハイブリダイズ反応の間、つまり、上述した一連の動作を繰り返し行なう間、溶液１１２の流量と流速は適切に調整されることが望ましい。溶液１１２の不適切な流量や流速は、ポンプ１２２による溶液１１２の過吸引を引き起こす要因となる。溶液１１２の過吸引は、ＤＮＡチップ１１６の多孔質部の孔径と溶液１１２の表面張力との関係で起こる。
【００３２】
ポンプ１２２で溶液１１２を吸引して図４の状態から図６の状態へ移す際に、溶液１１２が過剰に吸引されると（溶液１１２の過吸引が起きると）、ＤＮＡチップ１１６は、図７に示されるように、その中央部分が下方に引っ張られて、変形したり破損したりすることがある。特にＤＮＡチップ１１６の主な材料である陽極酸化アルミニウム膜は非常に壊れ易いため、溶液１１２の流量と流速は適切に調整されることが望まれる。
【００３３】
本実施形態のＤＮＡチップ読み取り装置１００は、ハイブリダイズ反応を促進する間は、ＤＮＡチップ１１６の変形量を求めると共に求めた情報に基づいてポンプ１２２を制御して、溶液１１２の流量と流速を適切に調整する。
【００３４】
具体的には、ハイブリダイズ反応を促進する間、照明装置１３２は所定のタイミングで励起光ビームを射出する。照明装置１３２から射出された励起光ビームは、ハーフミラー１５２と励起フィルター１３６を透過し、ダイクロイックミラー１３８で反射され、対物レンズ１４２で収束され、ＤＮＡチップ１１６に照射される。
【００３５】
ＤＮＡチップ１１６反射された励起光ビームは、対物レンズ１４２を通り、ダイクロイックミラー１３８で反射され、励起フィルター１３６を透過し、ハーフミラー１５２で反射され、結像レンズ１５４により光路差プリズム１５６を経てイメージセンサー１５８の受光面に結像される。
【００３６】
励起光ビームは、光路差プリズム１５６を通過する際に、光路差を有する二本のビームに分割される。これにより、イメージセンサー１５８の受光面には、未変形のＤＮＡチップ１１６の最適な結像位置の前後位置での二本の励起光ビームの像が形成される。イメージセンサー１５８は、二本の励起光ビームの像の画像データを出力する。
【００３７】
制御部１８０、イメージセンサー１５８から出力される画像データに基づいて、二本の励起光ビームの像の画像データを比較することにより、ＤＮＡチップ１１６の変形量、すなわちＤＮＡチップ１１６の中央部分の高さ位置の変化を求める。
【００３８】
さらに、制御部１８０は、求めたＤＮＡチップ１１６の変形量に基づいてポンプ１２２を制御する。例えば、制御部１８０は、求めたＤＮＡチップ１１６の変形量に従って、ポンプ１２２を停止させたり、ポンプ１２２による吸引速度を低下させたり、ポンプ１２２を吐出動作に切り換えたりする。これにより、溶液１１２の流量と流速を適切に調整する
ハイブリダイズ反応の後の蛍光観察の際には、照明装置１３２から射出された励起光ビームは、ハーフミラー１５２を透過し、不所望な成分を除いて励起フィルター１３６を透過し、ダイクロイックミラー１３８で反射され、対物レンズ１４２で収束され、ＤＮＡチップ１１６に照射される。
【００３９】
ＤＮＡチップ１１６で発生した蛍光は、対物レンズ１４２を通り、ダイクロイックミラー１３８を透過し、不所望な成分を除いて吸収フィルター１４０を透過し、結像レンズ１４４によってＣＣＤカメラ１４６の受光面に結像される。
【００４０】
ＣＣＤカメラ１４６は、結像された蛍光画像の画像データを出力する。ＣＣＤカメラ１４６から出力される蛍光画像の画像データは制御部１８０に取り込まれて処理される。
【００４１】
本実施形態のＤＮＡチップ読み取り装置１００では、ハイブリダイズ反応を促進する間、制御部１８０は、変位検出ユニット１５０からの情報に基づいて、ＤＮＡチップ１１６の変形量を求めると共に、求めた変形量に基づいてポンプ１２２を制御して、溶液１１２の流量と流速を適切に調整する。これにより、ポンプ１２２による過吸引の発生が回避され、ＤＮＡチップ１１６の変形や破損が防止される。
【００４２】
本実施形態のＤＮＡチップ読み取り装置１００では、制御部１８０は、変位検出ユニット１５０からの情報に基づいて、撮像系（結像レンズ１４４とＣＣＤカメラを含む系）のフォーカス調整のために、昇降ステージ１９２を制御してＤＮＡチップ１１６の高さ位置を調整してもよい。
【００４３】
対物レンズ１４２の下方に配置されるＤＮＡチップ１１６の高さ位置には、容器１１４の個体差によって多少のばらつきがある。蛍光観察の前に、このようなＤＮＡチップ１１６の高さ位置を補償するように、変位検出ユニット１５０からの情報に基づいて昇降ステージ１９２を制御してもよい。これにより、蛍光観察時に、良好な蛍光画像を取得することができる。
【００４４】
本実施形態では、変位検出ユニットに光路差方式のものを用いているが、他の方式のもの、例えば瞳分割方式や臨界角方式のものを用いてもよい。ただし、この場合、使用するレーザー光の波長、蛍光ミラーユニットの特性、色素の特性を考慮して適切な組み合わせを選ぶ必要がある。
【００４５】
第二実施形態
本実施形態は、第一実施形のＤＮＡチップ読み取り装置の撮像部に代えて適用可能な別の撮像部に向けられている。撮像部以外の構成は、第一実施形と同様である。
【００４６】
図２と図３は、本発明の第二実施形態のＤＮＡチップ読み取り装置の撮像部を示している。図中、第一実施形のＤＮＡチップ読み取り装置の部材と同一の参照符号で示された部材は同様の部材を示している。
【００４７】
図２と図３に示されるように、本実施形態のＤＮＡチップ読み取り装置の撮像部２３０は、励起光を発する照明装置１３２と、励起光を収束する対物レンズ１４２と、励起光を対物レンズ１４２に導くと共にＤＮＡチップ１１６で発生した蛍光を取り出す蛍光ミラーユニット１３４と、蛍光ミラーユニット１３４で取り出された蛍光を結像させる結像レンズ１４４と、結像レンズ１４４で結像された像を撮影するＣＣＤカメラ１４６と、ＤＮＡチップ１１６の変形量を求める干渉計を構成するための干渉ミラーユニット２６０とを有している。
【００４８】
蛍光ミラーユニット１３４と干渉ミラーユニット２６０は、その一方が選択的に撮像部２３０の光路上に配置される。蛍光ミラーユニット１３４と干渉ミラーユニット２６０は、例えば、容易に切り替え作業を行なえるように、回転可能に支持されたフィルタホイールに取り付けられる。
【００４９】
干渉ミラーユニット２６０は、撮像部２３０の光路上に配置された際に、他の光学要素（対物レンズ１４２と結像レンズ１４４とＣＣＤカメラ１４６）と共働してマイケルソン型の干渉計を構成する。
【００５０】
干渉ミラーユニット２６０は、コヒーレント光ビームを射出するレーザー２６２と、レーザー２６２の射出光ビームを平行光ビームに変えるコリメートレンズ２６４と、コリメートレンズ２６４からのコヒーレント光ビームを二つに分割すると共にそれらを後に結合するハーフミラー２１６と、ハーフミラー２１６で分割された一方の光ビームを反射してハーフミラー２１６に戻す参照ミラー２６８と、参照ミラー２６８の傾きと共に位置を調整する三個の圧電アクチュエータ２７０とを有しており、ハーフミラーで分割されたもう一方の光ビームは対物レンズに導かれる。
【００５１】
レーザー２６２とコリメートレンズ２６４の光軸は一致し、対物レンズ１４２と結像レンズ１４４の光軸は一致し、前者の共通の軸と後者の共通の軸は互いに直交している。ハーフミラー２１６は、それらの共通の光軸に対して４５°の傾きを有している。
【００５２】
ハイブリダイズ反応を促進する間、図２に示されるように、撮像部２３０の光路上には干渉ミラーユニット２６０が配置される。
【００５３】
その間、レーザー２６２は所定のタイミングで光ビームを射出する。レーザー２６２からの光ビームはコリメートレンズ２６４により平行光ビームに変えられる。ハーフミラー２１６は、コリメートレンズ２６４からの光ビームを部分的に透過すると共に部分的に反射して、二本の光ビームに分割する。ハーフミラー２１６を透過した成分から成る光ビームは、参照ミラー２６８で反射され、再びハーフミラー２１６に戻る。ハーフミラー２１６を反射された成分から成る光ビームは、対物レンズ１４２で収束され、ＤＮＡチップ１１６で反射され、対物レンズ１４２を通って再びハーフミラー２１６に戻る。
【００５４】
ハーフミラー２１６は、ＤＮＡチップ１１６からの反射光ビームを部分的に透過すると共に、参照ミラー２６８からの反射光ビームを部分的に反射し、ＤＮＡチップ１１６を経由した成分と参照ミラー２６８を経由した成分とを含む一本の光ビームに結合する。この結合光ビームは結像レンズ１４４によりＣＣＤカメラ１４６の受光面に結像される。
【００５５】
結合光ビームに含まれるＤＮＡチップ１１６を経由した成分と参照ミラー２６８を経由した成分は互いに干渉して、ＣＣＤカメラ１４６の受光面上に、両者の光路差に依存した干渉縞を作り出す。ＣＣＤカメラ１４６は、干渉縞を反映した画像データを出力する。
【００５６】
制御部１８０は、既存の画像処理技術によってＣＣＤカメラ１４６からの画像データからＤＮＡチップ１１６の変形量を求め、それに基づいてポンプ１２２を制御して、溶液１１２の流量と流速を適切に調整する。これにより、ポンプ１２２による過吸引の発生を回避し、ＤＮＡチップ１１６の変形や破損を防止する。
【００５７】
ハイブリダイズ反応の後の蛍光観察の際には、図３に示されるように、撮像部２３０の光路上には蛍光ミラーユニット１３４が配置される。
【００５８】
照明装置１３２から射出された励起光ビームは、不所望な成分を除いて励起フィルター１３６を透過し、ダイクロイックミラー１３８で反射され、対物レンズ１４２で収束され、ＤＮＡチップ１１６に照射される。
【００５９】
ＤＮＡチップ１１６で発生した蛍光は、対物レンズ１４２を通り、ダイクロイックミラー１３８を透過し、不所望な成分を除いて吸収フィルター１４０を透過し、結像レンズ１４４によってＣＣＤカメラ１４６の受光面に結像される。
【００６０】
ＣＣＤカメラ１４６は、結像された蛍光画像の画像データを出力する。ＣＣＤカメラ１４６から出力される蛍光画像の画像データは制御部１８０に取り込まれて処理される。
【００６１】
本実施形態のＤＮＡチップ読み取り装置では、ハイブリダイズ反応を促進する間、干渉ミラーユニット２６０によって形成される干渉縞に基づいてＤＮＡチップ１１６の変形量を求めると共に求めた変形量に基づいてポンプ１２２を制御して溶液１１２の流量と流速を適切に調整する。これにより、ポンプ１２２による過吸引の発生が回避され、ＤＮＡチップ１１６の変形や破損が防止される。
【００６２】
これまで、図面を参照しながら本発明の実施の形態を述べたが、本発明は、これらの実施の形態に限定されるものではなく、その要旨を逸脱しない範囲において様々な変形や変更が施されてもよい。
【００６３】
【発明の効果】
本発明によれば、ＤＮＡチップの変形量を光学的に検出し、検出したＤＮＡチップの変形量に基づいて溶液を駆動部を制御することで、実質的にＤＮＡチップの変形や破損を引き起こすことのないＤＮＡチップ読み取り装置が提供される。
【図面の簡単な説明】
【図１】本発明の第一実施形態のＤＮＡチップ読み取り装置を示している。
【図２】本発明の第二実施形態のＤＮＡチップ読み取り装置の撮像部を示しており、その光路上に干渉ミラーユニットが配置されている様子を示している。
【図３】本発明の第二実施形態のＤＮＡチップ読み取り装置の撮像部を示しており、その光路上に蛍光ミラーユニットが配置されている様子を示している。
【図４】ハイブリダイズ反応の間の容器内の溶液の様子を示しており、溶液がＤＮＡチップの上側の空間に十分に存在している状態を示している。
【図５】ハイブリダイズ反応の間の容器内の溶液の様子を示しており、溶液がＤＮＡチップの上側の空間にいくらか存在している状態を示している。
【図６】ハイブリダイズ反応の間の容器内の溶液の様子を示しており、溶液がＤＮＡチップの上側の空間に存在していない状態を示している。
【図７】ポンプによる溶液の過吸引によってＤＮＡチップの中央部分が下方に引っ張られ変形したた状態を示している。
【符号の説明】
１００  ＤＮＡチップ読み取り装置
１１２  溶液
１１４  容器
１１６  ＤＮＡチップ
１２２  ポンプ
１２４  圧力配管
１３２  照明装置
１３４  蛍光ミラーユニット
１４２  対物レンズ
１４４  結像レンズ
１４６  ＣＣＤカメラ
１５０  変位検出ユニット
１５２  ハーフミラー
１５４  結像レンズ
１５６  光路差プリズム
１５８  イメージセンサー
１８０  制御部
【図１】
2004163365.tif 000003
【図２】
2004163365.tif 000004
【図３】
2004163365.tif 000005
【図４】
2004163365.tif 000006
【図５】
2004163365.tif 000007
【図６】
2004163365.tif 000008
【図７】
2004163365.tif 000009